(57)【特許請求の範囲】
【請求項１】
多数のデータラインと多数のゲートラインの各交差部に位置する多数の液晶セルと液晶セルを駆動するための薄膜トランジスタを有する液晶パネルと；
前記各データラインの中間に設置されて分割駆動モードと非分割駆動モードに切り換えるための第１スイッチング素子と；
前記各ゲートラインの中間に設置されて分割駆動モードと非分割駆動モードに切り換えるための第２スイッチング素子と；
前記第１及び第２スイッチング素子を制御するための制御信号を前記第１及び第２スイッチング素子に供給する制御手段と；
前記第１及び第２スイッチング素子と前記制御手段に連結する制御ラインとを具備することを特徴とする液晶表示装置。
【請求項２】
前記制御信号は分割駆動モードのためのオン選択信号と非分割駆動モードのためのオフ選択信号の間で切り換えられることを特徴とする請求項１記載の液晶表示装置。
【請求項３】
多数のデータラインと多数のゲートラインの各交差部に位置する多数の液晶セルと液晶セルを駆動するための薄膜トランジスタを有する液晶パネルと；
前記各データラインの中間に設置されて分割駆動モードと非分割駆動モードに切り換えるための第１スイッチング素子と；
前記各ゲートラインの中間に設置されて分割駆動モードと非分割駆動モードに切り換えるための第２スイッチング素子と；
前記第１及び第２スイッチング素子を制御するための制御信号を制御手段から前記第１及び第２スイッチング素子に供給するための制御ラインと；
前記第１スイッチング素子によって分割される第１及び第２の多数のデータラインにデータ信号を供給するための第１及び第２ソースドライバと；
前記第２スイッチング素子によって分割される第１及び第２の多数のゲートラインのそれぞれにゲート信号を供給するための第１及び第２ゲートドライバと、
前記第１及び第２ソースドライバと前記第１及び第２ゲートドライバに制御信号を供給するためのタイミングコントローラとを具備することを特徴とする液晶表示装置。
【請求項４】
前記制御信号は分割駆動モードのためのオン選択信号と非分割駆動モードのためのオフ選択信号の間で切り換えられることを特徴とする請求項３記載の液晶表示装置。
【発明の詳細な説明】
【０００１】
【発明の属する技術分野】
本発明は液晶表示装置に関するもので、特に大画面／高解像度液晶パネルの分割駆動の際に画質を向上させる液晶表示装置に関するものである。
【０００２】
【従来の技術】
通常、液晶表示（Liquid Crystal Display：ＬＣＤ）素子はビデオ信号により液晶セルの光透過率を調節することで液晶セルがマトリックス形態で配置された液晶パネルにビデオ信号に該当する画像を表示するようになる。
【０００３】
このために、液晶表示装置は液晶セルがアクティブ・マトリックス（Active Matrix）形態に配列されたアクティブ領域とアクティブ領域の液晶セルを駆動するための駆動回路を含むようになる。
【０００４】
これを詳細にすると、液晶表示装置は液晶セルをスイッチングするための薄膜トランジスタ及び薄膜トランジスタを駆動するための駆動回路と駆動回路及び薄膜トランジスタの間に連結される信号ラインが下部基板上に実際に載せられた下板と、上部基板上にマトリックス液晶セルに対応してブラックマトリックス帯によりセル領域別に分離されて塗布されたカラーフィルターの表面に塗布された透明電極で構成している上板と、上板と下板の間に形成されて一定のセルギャップを確保するスペースと、スペースにより上下板の間に設けられた空間に満たされた液晶を構成にする。
【０００５】
このような液晶表示素子は前記上板と下板を別々に設けられた後、合着して側面部に設けられた液晶注入口を通して液晶を注入してその液晶注入口をシーラントで塗布してシーラントを硬化させることで製造するようになる。
【０００６】
また、駆動回路はデータラインとゲートラインに接合されてそれぞれデータ信号とスキャン信号をデータラインとゲートラインに供給するための多数の駆動集積回路（Driving Integrated Circuit：以下″Ｄ−ＩＣ″という）が必要になる。
【０００７】
Ｄ−ＩＣは大画面及び高解像度になるほどすべてのＴＦＴを導通させる時間が長くなって液晶パネルの全体表示速度が遅くなる。このような理由でゲート電圧レベルをあまり高く設定するようになる場合にはゲート電圧がオフ（Off）される際にフィード・サロー（Feed  Through）現象によって画素において電圧降下が発生して画質が歪み画像が見難くなる。従って、液晶パネルを分割駆動する方法に対する研究が進行している。
【０００８】
このような液晶パネルの分割駆動方式は図１のようにパネルを垂直方向に１／２の点（Ａ）でデータラインを物理的に切断するようになる。
図１を参照すると、従来の液晶表示装置はゲートライン（７、９）とデータライン（３、５）の交差部に設置されるＴＦＴと、物理的に上側及び下側に分割されたデータライン（３、５）にデータ信号を供給する上側及び下側ソース駆動ドライバ（Source Drive Integrated Circuit：以下″ＳＤ−ＩＣ″という）（２、４）と、物理的に分割なく、ただ信号的に分割された上側及び下側ゲートライン（７、９）にスキャン信号を供給するための左側及び右側ゲート駆動ドライバ（Gate Drive Integrated Circuit：以下″ＧＤ−ＩＣ″という）（６、８）とを具備する。
【０００９】
上側ＳＤ−ＩＣ（２）はパネルのデータライン（３、５）を切断した上側第１分割パネルに位置するデータライン（３、５）を切断した下側第２分割パネルに位置するデータライン（５）にデータ信号を供給する。
【００１０】
左側ＧＤ−ＩＣ（６）及び右側ＧＤ−ＩＣ（８）は上側及び下側ゲートライン（７、９）にスキャン信号を供給してＴＦＴを導通（ＯＮ）させるようになる。
【００１１】
液晶表示装置はそれぞれの画素に画像を表示するために、上側及び下側ＳＤ−ＩＣ（２、４）でデータ信号をデータライン（３、５）に供給する。そしてデータ信号が印加されたデータライン（３、５）と交差するゲートライン（７、９）には左側及び右側ＧＤ−ＩＣ（６、８）からスキャン信号が順次的に走査されてそれぞれのＴＦＴが導通（ＯＮ）される。これにより、各ＴＦＴのソース電極及びドレーン電極を通して画素電極にデータ信号が印加されて各画素に画像が表示される。
【００１２】
このような、液晶表示装置は図２のように上側及び下側データライン（３、５）がそれぞれ独立的に駆動される。これにより、同一の画像を具現する際に第１分割パネルと第２分割パネルの間の画質が差を誘発するようになる。
【００１３】
これを詳細にすると、パネルのＴＦＴは図示しないストレージ・キャパシタ（Storage Capacitor）を利用して画素に印加されるデータ信号の維持特性を向上させてグレースケール（Gray Scale）表示の安定及び画素の非選択期間の間に画素情報を維持するようになる。
【００１４】
この際、第１分割パネル上のストレージ・キャパシタは前段ゲートラインに接続されて印加される電圧を充電するようになる。しかし第２分割パネル上の１番目の画素に接続されたストレージ・キャパシタは垂直分割により前段ゲートラインがないために非選択期間に前段ゲートラインの電圧を充電しなくなる。これにより、第１分割パネル及び第２分割パネルの画質差を誘発するようになる。
【００１５】
また、液晶表示装置の分割駆動するのにおいて、パネル駆動装置で必ずフレーム・メモリ（Frame Memory）を使用しなければならないために回路構成が複雑なるという問題点がある。
【００１６】
【発明が解決しようとする課題】
従って、本発明の目的は大画面／高解像度液晶パネル分割駆動の際に画質を向上させることができるようにした液晶表示装置を提供することにある。
【００１７】
【課題を解決するための手段】
前記目的を達成するために、本発明による液晶表示装置は多数のデータラインと多数のゲートラインの各交差部に位置する多数の液晶セルと液晶セルを駆動するための薄膜トランジスタを有する液晶パネルと；前記多数のデータラインと前記多数のゲートラインの中の少なくともいずれか一つに提供されて分割駆動モードと非分割駆動モードに切り換えるための多数のスイッチ素子と；前記多数のスイッチ素子を制御するための制御信号を前記多数のスイッチング素子に供給する制御手段と；前記多数のスイッチング素子と前記制御手段に連結する制御ラインとを具備することを特徴とする。
【００１８】
前記多数のスイッチング素子は前記データラインの中間に設置される第１スイッチング素子と、前記ゲートラインの中間に設置される第２スイッチング素子とを更に具備することを特徴とする。
【００１９】
前記制御信号は分割駆動モードのためのオン選択信号と非分割駆動モードのためのオフ選択信号の中のいずれか一つであることを特徴とする。
【００２０】
本発明による液晶表示装置は多数のデータラインと多数のゲートラインの各交差部に位置する多数の液晶セルと液晶セルを駆動するための薄膜トランジスタを有する液晶パネルと；前記多数のデータラインと前記多数のゲートラインの中の少なくともいずれか一つに提供されて分割モードと非分割モードに切り換えるための多数のスイッチ素子と；前記多数のスイッチ素子を制御するための制御信号を前記スイッチ素子と前記制御手段に連結する制御ラインと；前記多数のデータラインにデータ信号を供給するための第１及び第２ソースドライバと；前記多数のゲートラインにゲート信号を供給するための第１及び第２ゲートドライバ、前記第１及び第２ソースドライバと前記第１及び第２ゲートドライバに制御信号を供給するためのタイミングコントローラとを具備することを特徴とする。
【００２１】
前記多数のスイッチ素子は前記データラインの中間に設置される第１スイッチングと、前記ゲートラインの中間に設置される第２スイッチングとを更に具備することを特徴とする。
【００２２】
前記制御信号は分割駆動モードのためのオン選択信号と非分割駆動モードのためのオフ選択信号の中のいずれか一つであることを特徴とする。
【００２３】
【作用】
本発明による液晶表示装置は物理的に分割されているデータラインに薄膜トランジスタを更に設置することで液晶パネルの分割駆動及び非分割駆動を信号的に選択することができる。また、分割駆動方式により信号配線に同一の駆動電圧を印加することで、大画面／高解像度パネルで信号配線抵抗による画質の低下を改善させる長所がある。
【００２４】
【発明の実施態様】
前記目的以外に本発明の異なる目的及び利点などは添付した図面などを参照した本発明の好ましい実施例に対する説明を通して明らかになるだろう。
以下、本発明の実施例を添付した図３乃至図６を参照して詳細に説明する。
【００２５】
図３を参照すると、本発明の第１実施例による液晶表示装置はゲートライン（３７、３９）と上／下に分割されたデータライン（３３、３５）が交差されてその交差部に液晶セル（Ｃｌｃ）を駆動するためのＴＦＴが形成された液晶パネル（６７）の上側及び下側のデータライン（３３、３５）にデータ信号を供給するための上側及び下側ソースドライバ（３２、３４）と、液晶パネル（６７）のゲートライン（３７、３９）にスキャンニング信号を供給するための上側及び下側ゲートドライバ（３６、３８）と上側及び下側データライン（３３、３５）の間の分割支点に設置されて分割駆動及び非分割駆動を選択するための分割駆動スイッチ素子（Ｂ）と、デジタルビデオデータと同期信号（Ｈ、Ｖ）が供給されるタイミングコントローラ（６１）と、分割駆動スイッチ素子（Ｂ）に分割駆動及び非分割駆動のうちのいずれか一つを選択するための選択信号を供給する分割駆動制御部（６３）とを具備する。
【００２６】
液晶パネル（６７）は二枚のガラス基板の間に液晶が注入されて、その下部ガラス基板上に上側及び下側に分割されたデータライン（３３、３５）と相互直交に上側及び下側ゲートライン（３７、３９）が形成される。
【００２７】
データライン（３３、３５）とゲートライン（３７、３９）の交差部に形成されたＴＦＴはスキャニングパルスに応答してデータライン（３３、３５）上のデータ信号を液晶セル（Ｃｌｃ）に供給するようになる。このために、ＴＦＴのゲート電極はゲートライン（３７、３９）に接続されて、ソース電極はデータライン（３３、３５）に接続される。そしてＴＦＴのドレーン電極は液晶セル（Ｃｌｃ）の画素電極に接続される。
【００２８】
タイミングコントローラ（６１）は図示しないデジタルビデオカードから供給されるデジタルビデオデータを再整列するようになる。タイミングコントローラ（６１）により再整列されたデータ（ＲＧＢ  data）は上側及び下側ソースドライバ（３２、３４）に供給される。
【００２９】
また、タイミングコントローラ（６１）は自分に入力される水平／垂直同期信号（Ｈ、Ｖ）を利用してドットクロック（Ｄｃｌｋ）、ゲート・スタート・パルス（ＧＳＰ）、ゲート・シフト・クロック（ＧＳＣ）、出力インエーブル／ディスエーブル信号のタイミング制御信号と極性制御信号を生成して上側及び下側ソースドライバ（３２、３４）と左側及び右側ドライバ（３６、３８）を制御するようになる。
【００３０】
この中ドットクロック（ＤＣＬＫ）と極性制御信号は上側及び下側ソースドライバ（３２、３４）にそれぞれ供給されて、ゲート・スタート・パルス（ＧＳＰ）とゲート・シフト・クロック（ＧＳＣ）は左側及び右側ドライバ（３６、３８）にそれぞれ供給される。
【００３１】
左側及び右側ドライバ（３６、３８）はタイミングコントローラ（６１）から供給されるゲート・スタート・パルス（ＧＳＰ）とゲート・シフト・クロック（ＧＳＣ）に応答してスキャンパルス即ち、ゲート・ハイパルスを順次的に発生するスフト・レジスタと、スキャンパルスの電圧を液晶セル（Ｃｌｃ）の駆動に適合のレベルでシフトさせるためのレベルシフトを含む。このスキャンパルスに応答してＴＦＴはターン・オンされる。ＴＦＴはターン・オンされる際に、上側及び下側ソースドライバ（３２、３４）上のデータ信号は液晶セル（Ｃｌｃ）の画素電極に供給される。
【００３２】
このような、左側及び右側ドライバ（３６、３８）には所定ブロック単位のゲートライン（３７、３９）にスキャンニング信号を供給するための多数のゲート駆動ドライバ（Gate Drive Integrated Circuit：以下″ＧＤ−ＩＣ″という）が実際に載せられる。このＧＤ−ＩＣそれぞれは自分に接続されたゲートライン（３７、３９）にスキャニング信号を順次的に供給するようになる。
【００３３】
左側及び右側ドライバ（３６、３８）は液晶パネル（６７）の物理的な分割なくただ信号的に上下に分離された第１及び第２分割パネルのゲートライン（３７、３９）に両方向のスキャニング信号を供給するようになる。これはゲートライン（３７、３９）のライン抵抗を減少させるために液晶パネル（６７）の左側及び右側に配置されてゲートライン（３７、３９）にスキャニング信号を供給するようになる。
【００３４】
上側及び下側ソースドライバ（３２、３４）には赤（Ｒ）、緑（Ｇ）及び青（Ｂ）色のデータ（Ｒ、Ｇ、Ｂ  data）が供給されると共にタイミングコントローラ（６１）からどっとクロック（ＤＬＣＫ）が入力される。
【００３５】
上側及び下側ソースドライバ（３２、３４）はドットクロック（ＤＬＣＫ）により赤（Ｒ）、緑（Ｇ）及び青（Ｂ）色のデータ（Ｒ、Ｇ、Ｂ  data）をサンプリングした後に、１ライン分ずつラッチする。
【００３６】
上側及び下側ソースドライバ（３２、３４）によりラッチされたデータはアナログデータに変換されて走査期間毎に上側及び下側ソースドライバ（３２、３４）に同時に供給される。上側及び下側ソースドライバ（３２、３４）はデータ信号に対応するガンマ電圧を上側及び下側データライン（３３、３５）に供給することもできる。
【００３７】
このような、上側及び下側ソースドライバ（３２、３４）には所定ブロック単位のデータライン（３３、３５）にデータ信号を供給するための多数の上側及び下側ソース駆動ドライバ（Source Drive Integrated Circuit：以下″ＳＤ−ＩＣ″という）が実際に載せられる。このＳＤ−ＩＣそれぞれは自分に接続されたデータライン（３３、３５）にデータ信号を同時に供給するようになる。
【００３８】
再度述べれば、液晶パネル（６７）の上側に位置する第１分割パネルのデータライン（３３）には上側ソース・ドライバ（３２）からデータ信号が供給されて、液晶パネル（６７）の下側に位置する第２分割パネルのデータライン（３５）には下側ソース・ドライバ（３４）からデータ信号が供給される。
【００３９】
分割駆動スイッチ素子（Ｂ）は図４のように分割された上側及び下側データライン（３３、３５）の間に配置されて形成される。
分割駆動スイッチ素子（Ｂ）は分割駆動制御部（６３）から供給される選択信号により上下に分割された液晶パネル（６７）の分割駆動及び非分割駆動を切り換えられる。このために、分割駆動スイッチ素子（Ｂ）のゲート電極は分割駆動制御ライン（４１）に接続されて、ソース電極は上側データライン（３３）に接続される。そして分割駆動スイッチ素子（Ｂ）のドレーン電極は下側データライン（３５）に接続される。
【００４０】
これにより、分割駆動スイッチ素子（Ｂ）は分割駆動制御部（６３）から液晶パネル（６７）の非分割駆動選択信号に応答して上側ソース・ドライバ（３２）から上側データライン（３３）に供給されるデータ信号が下側データライン（３５）に供給されるようにする。
【００４１】
また、分割駆動スイッチ素子（Ｂ）は分割駆動制御部（６３）から液晶パネル（６７）の分割駆動選択信号に応答して上側データライン（３３）と下側データライン（３５）の接続を遮断するようになる。これにより、上側データライン（３３）は上側ソース・ドライバ（３２）からデータ信号を供給受けるようになり、下側データライン（３５）は下側ソース・ドライバ（３４）からデータ信号を供給受けるようになる。
【００４２】
分割駆動制御部（６３）は外部的なオン／オフ選択によりオン／オフの選択信号を分割駆動スイッチ素子（Ｂ）に供給するようになる。即ち、オン（ＯＮ）の選択信号である場合に液晶パネル（６７）は非分割駆動方式に駆動されて、オフ（ＯＦＦ）の選択信号である場合に液晶パネル（６７）は分割駆動方式に駆動される。
【００４３】
このような、液晶表示装置は液晶パネル（６７）のデータライン（３３、３５）の中間に分割駆動スイッチ素子（Ｂ）を配置して、分割駆動スイッチ素子（Ｂ）を外部でオン／オフ制御することで、液晶パネル（６７）の分割駆動及び非分割駆動方式がすべて可能となる。
【００４４】
図５を参照すると、本発明の第２実施例による液晶表示装置は４分割されたゲートライン（５１、５３、５５、５７）及び４分割されたデータライン（４３、４５、４７、４９）が交差されてその交差部に液晶セル（Ｃｌｃ）を駆動するためのＴＦＴが形成された液晶パネル（７７）と、液晶パネル（７７）の上側データライン（４３、４５）及び下側データライン（４７、４９）にデータ信号をそれぞれ供給するための上側及び下側データライン（４２、４４）と、液晶パネル（７７）の左側ゲートライン（５１、５５）及び右側ゲートライン（５３、５７）にスキャンニング信号を供給するための左側及び右側ゲートドライバ（４６、４８）と、上側データライン（４３、４５）及び下側データライン（４７、４９）の中間に設置されて垂直分割駆動及び非分割駆動を選択するための第１分割駆動スイッチ素子（Ｃ）と、左側ゲートライン（５１、５５）及び右側ゲートライン（５３、５７）の中間に設置されて水平分割駆動及び非分割駆動を選択するための第２分割駆動スイッチ素子（Ｄ）と、デジタルビデオデータの同期信号（Ｈ、Ｖ）が供給されるタイミングコントローラ（８１）と、第１及び第２分割駆動スイッチ素子（Ｃ、Ｄ）に垂直／水平分割駆動及び非分割駆動のための選択信号を供給する分割駆動制御部（８３）とを具備する。
【００４５】
液晶パネル（７７）は二枚のガラス基板の間に液晶が注入されて、その下部ガラス基板上にデータライン（４３、４５、４７、４９）と相互直交になるようにゲートライン（５１、５３、５５、５７）が形成される。
【００４６】
データライン（４３、４５、４７、４９）とゲートライン（５１、５３、５５、５７）の交差部に形成されたＴＦＴはスキャンニングパルスに応答してデータライン（４３、４５、４７、４９）上のデータ信号を液晶セル（Ｃｌｃ）に供給するようになる。このために、ＴＦＴのゲート電極はゲートライン（５１、５３、５５、５７）に接続されて、ソース電極はデータライン（４３、４５、４７、４９）に接続される。そしてＴＦＴのドレーン電極は液晶セル（Ｃｌｃ）の画素電極に接続される。
【００４７】
タイミングコントローラ（８１）は図示しないデジタルビデオカードから供給されるデジタルビデオデータを再整列するようになる。タイミングコントローラ（８１）により再整列されたデータ（ＲＧＢ  data）は上側及び下側ソースドライバ（４２、４４）に供給される。
【００４８】
また、タイミングコントローラ（８１）は自分に入力される水平／垂直同期信号（Ｈ、Ｖ）を利用してドットクロック（Ｄｃｌｋ）、ゲート・スタート・パルス（ＧＳＰ）、ゲート・シフト・クロック（ＧＳＣ）、出力インエーブル/ディスエーブル信号のタイミング制御信号と極性制御信号を生成して上側及び下側ソースドライバ（４２、４４）と左側及び右側ドライバ（４６、４８）を制御するようになる。
【００４９】
この中ドットクロック（ＤＣＬＫ）と極性制御信号は上側及び下側ソースドライバ（４２、４４）にそれぞれ供給されて、ゲート・スタート・パルス（ＧＳＰ）とゲート・シフト・クロック（ＧＳＣ）は左側及び右側ドライバ（４６、４８）にそれぞれ供給される。
【００５０】
左側及び右側ドライバ（４６、４８）はタイミングコントローラ（８１）から供給されるゲート・スタート・パルス（ＧＳＰ）とゲート・シフト・クロック（ＧＳＣ）に応答してスキャンパルス即ち、ゲート・ハイパルスを順次的に発生するスフト・レジスタと、スキャンパルスの電圧を液晶セル（Ｃｌｃ）の駆動に適合のレベルでシフトさせるためのレベルシフトを含む。このスキャンパルスに応答してＴＦＴはターン・オンされる。ＴＦＴがターン・オンされる際に、上側データライン（４３、４５）及び下側データライン（４７、４９）上のデータ信号は液晶セル（Ｃｌｃ）の画素電極に供給される。
【００５１】
このような、左側及び右側ゲートドライバ（４６、４８）には所定ブロック単位のゲートライン（５１、５３、５５、５７）にスキャンニング信号を供給するための多数のゲート駆動ドライバ（Gate Drive Integrated Circuit：以下″ＧＤ−ＩＣ″という）が実際に載せられる。このＧＤ−ＩＣそれぞれは自分に接続されたゲートライン（５１、５３、５５、５７）にスキャニング信号を順次的に供給するようになる。
【００５２】
上側及び下側ソースドライバ（４２、４４）には赤（Ｒ）、緑（Ｇ）及び青（Ｂ）色のデータ（Ｒ、Ｇ、Ｂ  data）が供給されると共にタイミングコントローラ（８１）からドットクロック（ＤＬＣＫ）が入力される。
【００５３】
上側及び下側ソースドライバ（４２、４４）はドットクロック（ＤＬＣＫ）により赤（Ｒ）、緑（Ｇ）及び青（Ｂ）色のデータ（Ｒ、Ｇ、Ｂ  data）をサンプリングした後に、１ライン分ずつラッチする。
上側及び下側ソースドライバ（４２、４４）によりラッチされたデータはアナログデータに変換されて走査期間毎に上側データライン（４３、４５）及び下側データライン（４７、４９）に同時に供給される。上側及び下側ソースドライバ（４２、４４）はデータ信号に対応するガンマ電圧を上側データライン（４３、４５）及び下側データライン（４７、４９）に供給することもできる。
【００５４】
このような、上側及び下側ソースドライバ（４２、４４）には所定ブロック単位のデータライン（４３、４５、４７、４９）にデータ信号を供給するための多数のソース駆動ドライバ（Source Drive Integrated Circuit：以下″ＳＤ−ＩＣ″という）が実際に載せられる。このＳＤ−ＩＣそれぞれは自分に接続されたデータライン（４３、４５、４７、４９）にデータ信号を同時に供給するようになる。
【００５５】
左側及び右側ゲートドライバ（４６、４８）と上側及び下側ソースドライバ（４２、４４）を利用して液晶パネル（７７）の左側上段に位置する第１分割パネルは上側ソースドライバ（４２）と左側ゲートドライバ（４６）により駆動されて、右側上段に位置する第２分割パネルは上側ソースドライバ（４２）と右側ゲートドライバ（４８）により駆動される。そして、左側下段に位置する第３分割パネルは下側ソースドライバ（４４）と左側ソースドライバ（４２）と右側ゲートドライバ（４８）により駆動される。
【００５６】
第１分割駆動スイッチ素子（Ｃ）は図４のように分割された上側データライン（４３、４５）及び下側データライン（４７、４９）の間に配置されて形成されて、第２分割駆動スイッチ素子（Ｄ）は図６のように左側ゲートライン（５１、５５）と右側ゲートライン（５３、５７）の中間に形成される。
【００５７】
まず第１分割駆動スイッチ素子（Ｃ）は分割駆動制御部（８３）から供給される選択信号により上下に分割された液晶パネル（７７）の垂直分割駆動及び垂直非分割駆動を切り換えるようになる。このために、第１分割駆動スイッチ素子（Ｃ）のゲート電極は垂直分割駆動制御ライン（５０）に接続されて、ソース電極は上側データライン（４３、４５）に接続される。そして第１分割駆動スイッチ素子（Ｃ）のドレーン電極は下側データライン（４７、４９）に接続される。
【００５８】
これにより、第１分割駆動スイッチ素子（Ｃ）は分割駆動制御部（８３）から液晶パネル（７７）の垂直非分割駆動の選択信号に応答してソースドライバ（４２）から上側データライン（４３、４５）に供給されるデータ信号が下側データライン（４７、４９）に供給されるようにする。
【００５９】
また、第１分割駆動スイッチ素子（Ｃ）は分割駆動制御部（８３）から液晶パネル（７７）の垂直分割駆動の選択信号に応答して上側データライン（４３、４５）と下側データライン（４７、４９）の接続を遮断するようになる。これにより、上側データライン（４３、４５）はソースドライバ（４２）からデータ信号を供給され、下側データライン（４７、４９）は下側ソースドライバ（４４）からデータ信号を供給されてそれぞれ独立的に駆動するようになる。
【００６０】
図６を参照すると、第２分割駆動スイッチ素子（Ｄ）は分割駆動制御部（８３）から供給される選択信号により左右に分割された液晶パネル（７７）の水平分割駆動及び非分割駆動を切り換えるようになる。このために、第２分割駆動スイッチ素子（Ｄ）はゲート電極は水平分割駆動制御ライン（５２）に接続されて、ソース電極は左側ゲートライン（５１、５５）に接続される。そして第２分割駆動スイッチ素子（Ｄ）のドレーン電極は右側ゲートライン（５３、５７）に接続される。
【００６１】
これにより、第２分割駆動スイッチ素子（Ｄ）は分割駆動制御部（８３）から液晶パネル（７７）の水平非分割駆動の選択信号に応答して左側ゲートドライバ（４６）から左側ゲートライン（５１、５５）に供給されるスキャンニング信号が右側ゲートライン（５３、５７）に供給されるようにする。
【００６２】
また、第２分割駆動スイッチ素子（Ｄ）は分割駆動制御部（８３）から液晶パネル（７７）の水平分割駆動の選択信号に応答して左側ゲートライン（５１、５５）と右側ゲートライン（５３、５７）の接続を遮断するようになる。これにより、左側ゲートライン（５１、５３）は左側ゲートドライバ（４６）からスキャンニング信号を供給され、右側ゲートライン（５３、５７）は右側ゲートドライバ（４８）からスキャンニング信号を供給されそれぞれ独立的に駆動するようになる。
【００６３】
分割駆動制御部（８３）が外部的なオン／オフ選択により垂直分割及び水平分割駆動信号であるオン・オフ選択信号を第１及び第２分割駆動スイッチ素子（Ｃ、Ｄ）にそれぞれ供給する。即ち、第１及び第２分割駆動スイッチ素子（Ｃ、Ｄ）に供給される選択信号がすべてオン（ＯＮ）の選択信号である場合に液晶パネル（７７）は非分割駆動方式で駆動される。
【００６４】
反面に第１及び第２分割駆動スイッチ素子（Ｃ、Ｄ）に供給される選択信号がすべてオフ（ＯＦＦ）の選択信号である場合に液晶パネル（７７）は分割駆動方式で駆動される。即ち、液晶パネル（７７）を垂直及び水平に４分割して駆動するようになる。
【００６５】
一方、第１分割駆動スイッチ素子（Ｃ）に供給された選択信号がオン（ＯＮ）であり、第２分割駆動スイッチ素子（Ｄ）に供給される選択信号がオフ（ＯＦＦ）である場合に液晶パネル（７７）を水平に２分割して駆動するようになり、これとは反対に第１分割駆動スイッチ素子（Ｃ）に供給される選択信号がオフ（ＯＦＦ）であり、第２分割駆動スイッチ素子（Ｄ）に供給される選択信号がオン（ＯＮ）である場合には液晶パネル（７７）を垂直に２分割して駆動するようになる。
【００６６】
このような、液晶表示装置は液晶パネル（７７）を垂直及び水平に４分割して、分割されたデータライン及びゲートラインの中間に設置された第１及び第２分割駆動スイッチ素子（Ｃ、Ｄ）を制御することで液晶パネル（７７）を４分割及び２分割駆動及び非分割駆動がすべて可能になる。
【００６７】
【発明の効果】
上述したところのように、本発明による液晶表示装置は同一配線に同一の駆動電圧を印加することで液晶パネルの上側及び下側と左側及び右側間に画質が低下される問題を解決することができる。
【００６８】
以上説明した内容を通して当業者であれば本発明の技術思想を一脱しない範囲で多様な変更及び修正の可能であることが分かる。従って、本発明の技術的な範囲は明細書の詳細な説明に記載された内容に限らず特許請求の範囲によって定めなければならない。
【図面の簡単な説明】
【図１】  従来液晶パネルの分割駆動を表す平面図である。
【図２】  図１に図示されたＡ部分を詳細に表す平面図である。
【図３】  本発明の第１実施例による液晶表示装置の２分割駆動を表す平面図である。
【図４】  図３に図示されたデータラインの中間に設置された分割駆動スイッチ素子を表す平面図である。
【図５】  本発明の第２実施例による液晶表示装置の４分割駆動を表す平面図である。
【図６】  図５に図示されたゲートラインの中間に設置された２分割駆動スイッチ素子を表す平面図である。
【符号の説明】
２、３２：上側ソースドライバ
３、３３：データライン
４、３４：下側ソースドライバ
７、３７：ゲートライン
６、３６：左側ゲートドライバ
８、８３：右側ゲートドライバ
５０：垂直分割駆動制御ライン
５２：水平分割駆動制御ライン
６１：タイミングコントローラ
６７：液晶パネル
８３：分割駆動制御部
【図１】
0004191408.tif 000002
【図２】
0004191408.tif 000003
【図３】
0004191408.tif 000004
【図４】
0004191408.tif 000005
【図５】
0004191408.tif 000006
【図６】
0004191408.tif 000007